(57)【要約】【課題】特定の車両情報、例えば緊急性、優先性の高い車両情報を表示する場合に乗員の認識性や注意喚起性を高めることが可能な車両用表示装置を提供する【解決手段】画像表示装置１０と、この画像表示装置１０に車両情報を画像として表示させる制御手段２０とを備えた車両用表示装置１において、制御手段２０は第１の表示画像ＧＲ１を背景画像ＢＧ１上に表示させる第１の表示モードにおいて背景画像ＧＢ１を第1の輝度にて表示させ、第１の表示画像ＧＲ１と第２の表示画像ＧＲ２の双方を背景画像ＢＧ２上に表示させる第２の表示モードにおいて背景画像ＢＧ２を第１の輝度よりも小さい第２の輝度で表示させる。【選択図】  図２
2010006197.tif 000002
【特許請求の範囲】
【請求項１】
画像表示装置と、この画像表示装置に車両情報を画像として表示させる制御手段とを備えた車両用表示装置において、
前記画像が前記車両情報として指針式アナログ計器の画像から第１の表示画像と、前記車両情報として前記指針式アナログ計器以外の画像からなる第２の表示画像と、これら第１，第２の表示画像の背景となる背景画像とにより構成され、
前記制御手段は前記第１の表示画像を前記背景画像上に表示させる第１の表示モードにおいて前記背景画像を第1の輝度にて表示させ、前記第１の表示画像と前記第２の表示画像の双方を前記背景画像上に表示させる第２の表示モードにおいて前記背景画像を前記第１の輝度よりも小さい第２の輝度で表示させることを特徴とする車両用表示装置。
【請求項２】
前記制御手段は前記第１の表示モードから前記第２の表示モードに切り替える際、もしくは前記第２の表示モードから前記第１の表示モードに切り替える際、前記背景画像の輝度を前記第１の輝度と前記第２の輝度との間で段階的もしくは徐々に変化させてなることを特徴とする請求項１記載の車両用表示装置。
【発明の詳細な説明】
【技術分野】
【０００１】
本発明は、車両情報を表示する車両用表示装置に関するものである。
【背景技術】
【０００２】
この種の車両用表示装置として例えば下記特許文献１に記載されているものが知られている。この車両用表示装置は、例えば、液晶パネル、Ｅ Ｌ パネル、その他のフラットディスプレイパネルからなる画像表示装置と、この画像表示装置に車両情報を画像として表示させるマイクロコンピュータを含む制御手段とを備えており、画像表示装置は、制御手段による制御のもと、その表示画面の左右両端にアナログ式速度計画像（車両情報）とアナログ式回転計画像（車両情報）とからなる主計器画像を表示すると共に、これらアナログ式速度画像とアナログ式回転計画像との間にアナログ式燃料計画像及びアナログ式水温計画像からなる補助計器画像と計器画像以外の地形情報や車間距離情報、シフトレンジ情報からなる情報表示画像（車両情報）とを表示するものである。
【０００３】
このように主計器画像の間に計器画像以外の情報表示画像を表示する車両用表示装置にあっては、情報表示画像に例えば暗視カメラからの撮像情報や残燃料、車間距離等の警報情報をはじめとする緊急性、優先性の高い車両情報を表示する場合がある。
【特許文献１】特開２００４−１５７４３４号公報
【発明の開示】
【発明が解決しようとする課題】
【０００４】
しかしながら上記公報に記載の車両用表示装置にあっては、主計器画像だけを表示する第１の表示モードと、主計器画像に加えて情報表示画像を表示する第２の表示モードとで背景画像の色や輝度が一定であるため、情報表示画像に対する乗員の認識性や注意喚起性の点で改良の余地があり、例えば情報表示画像として緊急性、優先性の高い車両情報を表示する場合に、認識性や注意喚起性を十分に確保できないことがあった。
【０００５】
本発明は前述した問題点に着目し、特定の車両情報、例えば緊急性、優先性の高い車両情報を表示する場合に乗員の認識性や注意喚起性を高めることが可能な車両用表示装置を提供するものである。
【課題を解決するための手段】
【０００６】
本発明は、前述した課題を解決するため、画像表示装置と、この画像表示装置に車両情報を画像として表示させる制御手段とを備えた車両用表示装置において、前記画像が前記車両情報として指針式アナログ計器の画像から第１の表示画像と、前記車両情報として前記指針式アナログ計器以外の画像からなる第２の表示画像と、これら第１，第２の表示画像の背景となる背景画像とにより構成され、前記制御手段は前記第１の表示画像を前記背景画像上に表示させる第１の表示モードにおいて前記背景画像を第1の輝度にて表示させ、前記第１の表示画像と前記第２の表示画像の双方を前記背景画像上に表示させる第２の表示モードにおいて前記背景画像を前記第１の輝度よりも小さい第２の輝度で表示させることを特徴とする。これにより、特定の車両情報を表示する場合に、乗員の認識性や注意喚起性を高めることができる。
【０００７】
また本発明は、前記制御手段は前記第１の表示モードから前記第２の表示モードに切り替える際、もしくは前記第２の表示モードから前記第１の表示モードに切り替える際、前記背景画像の輝度を前記第１の輝度と前記第２の輝度との間で段階的もしくは徐々に変化させてなることを特徴とする。これにより輝度が急激に変化することを抑制し、乗員の違和感を軽減することができる。
【発明の効果】
【０００８】
本発明によれば、初期の目的を達成することができ、特定の車両情報を表示する場合に、乗員の認識性や注意喚起性を高めることができる。
【発明を実施するための最良の形態】
【０００９】
以下、本発明の実施の形態について添付図面を用いて説明する。
【００１０】
図１及び図２は、本発明による車両用表示装置の一実施形態を示すもので、図１は本実施形態による車両用表示装置のシステム概要を示すブロック図、図２（ａ）（ｂ）は表示画像とその推移を示す正面図である。
【００１１】
図１において、本実施形態による車両用表示装置１は、画像表示装置１０と、この画像表示装置１０に車両情報を画像として表示させる制御手段２０とを備えており、例えば車内ＬＡＮ（Ｌｏｃａｌ Ａｒｅａ Ｎｅｔｗｏｒｋ）を介して車側ＥＣＵ（Ｅｎｇｉｎｅ Ｃｏｎｔｒｏｌ Ｕｎｉｔ）と接続されている。
【００１２】
画像表示装置１０は、例えばＴＦＴ（薄膜トランジスタ）型液晶パネルからなるが、制御手段２０による制御のもと、車両情報を画像として表示させることができれば、ＥＬパネル等の任意の表示パネルを用いることができる。
【００１３】
制御手段２０は、例えばマイクロコンピュータやグラフィックコントローラ、ＲＯＭ、ＲＡＭ、フラッシュメモリ等の記憶装置をはじめ、車内ＬＡＮを通じて入力する車側ＥＣＵからの表示切り替え信号や各種車両情報に応じて画像表示装置１０を駆動制御するのに必要な素子を含んでいる。
【００１４】
画像表示装置１０の表示画面は、例えば通常の走行時（第１の表示モード時）、図２（ａ）に示すように、画面中、左側に位置し、車両速度（第１の車両情報）をアナログ表示する速度計と、画面中、右側に位置すると共に速度計とは間隔を空けて隣接表示され、車両エンジン回転（第１の車両情報）をアナログ表示する回転計とでなる第１の表示画像ＧＲ１と、第１の表示画像ＧＲ１の背景となる背景画像ＢＧ１とで構成される。
【００１５】
第１の表示画像ＧＲ１は、それぞれ指針と、この指針の指示対象となる指標と、これら指針と指標を取り巻くリングとで構成され、例えば指針の表示色は赤、指標部の表示色は青、リングの表示色はゴールドメタリックにそれぞれ設定されている。そして、表示画像１は、制御手段２０の前記記憶装置に格納されている複数パターンからなる画像データを車内ＬＡＮを通じて入力する車両情報の変化量に応じて読み出し再生することにより動画として表示されるものである。
【００１６】
背景画像ＢＧ１は、第１の表示画像ＧＲ１の背景となるもので、その表示色は、例えばシルバーメタリックに設定されている。
【００１７】
一方、例えば車体に装備された図示しない暗視カメラが生命体を捉えた警報時（第２の表示モード時）、車内ＬＡＮを通じて車側ＥＣＵからの表示切り替え信号及び暗視カメラからの撮像画像信号が入力し、画像表示装置１０の表示画面は、図２（ｂ）に示すように、第１の表示画像ＧＲ１と、第１の表示画像ＧＲ１間に第２の車両情報として表示される暗視カメラの撮像画像からなる第２の表示画像ＧＲ２と、これら第１，第２の表示画像ＧＲ１，２の背景となる背景画像ＢＧ２とで構成される。
【００１８】
この場合（第２の表示モードでは）、第１の表示画像ＧＲ１を構成する指針と指標とリングの各表示色は、第１の表示モードと同じであるが、背景画像ＢＧ２は、第１の表示モードにおける背景画像Ｂ１の表示色とは異なる例えば黒色に設定される。従って背景画像ＢＧ２の輝度は、背景画像ＢＧ１よりも小さい輝度にて表示される。
【００１９】
以上の通り、本実施形態では、画像表示装置１０と、この画像表示装置１０に車両情報を画像として表示させる制御手段２０とを備えた車両用表示装置１において、画像が車両情報として指針式アナログ計器の画像から第１の表示画像ＧＲ１と、車両情報として指針式アナログ計器以外の画像からなる第２の表示画像ＧＲ２と、これら第１，第２の表示画像ＧＲ１，２の背景となる背景画像ＢＧ１，ＢＧ２とにより構成され、制御手段２０は第１の表示画像ＧＲ１を背景画像ＢＧ１上に表示させる第１の表示モードにおいて背景画像ＧＢ１を第1の輝度にて表示させ、第１の表示画像ＧＲ１と第２の表示画像ＧＲ２の双方を背景画像ＢＧ２上に表示させる第２の表示モードにおいて背景画像ＢＧ２を第１の輝度よりも小さい第２の輝度で表示させることにより、第２の表示モードとして、特定の車両情報、この場合、暗視カメラの撮像画像に基づく警報情報である第２の表示画像ＧＲ２を表示する際、第２の表示画像ＧＲ２の背景となる背景画像ＢＧ２の輝度を第１の表示モードにおける背景画像ＢＧ１の輝度よりも小さく抑えることができるため、第２の表示画像ＧＲ２の視認性、認識性を高めることができ、これにより乗員の認識性や注意喚起性を高めることができる。
【００２０】
なお特定の車両情報としては、基本的には任意の車両情報が適用できるが、例えばシートベルト警報、ローフューエル警報、車間距離警報等の各種警報情報のように、優先度もしく緊急度の高い情報が好ましい。
【００２１】
また本発明の他の実施形態として図示しないが、第１の表示モードから第２の表示モードに切り替える際、もしくは第２の表示モードから第１の表示モードに切り替える際、背景画像ＢＧ１，２の輝度を第１の輝度と第２の輝度との間で段階的もしくは徐々に変化させてもよい。このように構成することにより、輝度の急激な変化を抑え、乗員の違和感を軽減することができる。
【００２２】
また本発明の更なる他の実施形態として図示しないが、第２の表示モードにおいて、第１の表示画像ＧＲ１の一部を構成し、装飾効果をもたらす前記リングを非表示としたり、あるいは薄く表示することにより、第２の表示画像ＧＲ２の視認性、認識性を更に高めることが可能である。
【図面の簡単な説明】
【００２３】
【図１】本発明の一実施形態による車両用表示装置のシステム概要を示すブロック図。
【図２】（ａ）（ｂ）は同実施形態における表示画像とその推移を示す正面図。
【符号の説明】
【００２４】
１  車両用表示装置
１０  画像表示装置
２０  制御手段
ＧＲ１  第１の表示画像
ＧＲ２  第２の表示画像
ＢＧ１，ＢＧ２  背景画像
【図１】
2010006197.tif 000003
【図２】
2010006197.tif 000004